【事件の表示】
　平成１０年特許願第２９９８６０号「カムスイッチ」拒絶査定不服審判事件〔平成１２年　５月１２日出願公開、特開２０００−１３３０８８号〕について、次のとおり審決する。
【結　論】
　本件審判の請求は、成り立たない。
【理　由】
１．手続の経緯
　
　本願は，平成１０年１０月２１日の出願であって，平成１８年５月２６日付けで拒絶査定がなされ，これに対し，同年６月２３日に審判請求及び手続補正がなされたものである。
　
２．平成１８年６月２３日付け手続補正についての補正却下の決定
　
［補正却下の決定の結論］
　平成１８年６月２３日付け手続補正を却下する。
　
［理由］
（１）本件補正の内容
　平成１８年６月２３日付け手続補正（以下「本件補正」という。）は，本件補正前の特許請求の範囲の
　
「【請求項１】　外周にカム溝を刻設した絶縁性の回転カムを筐体内に収容し回転カムに一本のシャフトを内嵌め固着して回転自在に設け、回転カムの外周に可動接点を有する可動棒を復帰バネで付勢して対向して当接させ、固定接点を前記可動接点より外側に位置させ可動接点に対向させて筐体に取付け、可動接点は可動棒内に内蔵された接触用バネにより固定接点に向けて付勢し、可動棒に接触用バネ収納用の窓孔を開口させ、さらに、前記窓孔に通ずるすり割りを刻設し、回転カムの操作力に関係する復帰バネの操作力を別個に設定できるようにしてなるカムスイッチ。」
　
の記載を，
　
 「【請求項１】　外周にカム溝を刻設した絶縁性の回転カムを筐体内に収容し回転カムに一本のシャフトを内嵌め固着して回転自在に設け、回転カムの外周に可動接点を有する可動棒を復帰バネで付勢して対向して当接させ、固定接点を前記可動接点より外側に位置させ可動接点に対向させて筐体に取付け、可動接点は可動棒内に内蔵された接触用バネにより固定接点に向けて付勢し、固定接点と可動接点との接圧は接触用バネにより設定し、可動棒に接触用バネ収納用の窓孔を開口させ、さらに、回転カムの操作力に関係する復帰バネの操作力を別個に設定できるようにしてなる多段組カムスイッチ。」
　
と補正することを含むものである。
　　
（２）補正の適否について
　上記補正は，本件補正前の請求項１の発明特定事項である「カムスイッチ」について，「固定接点と可動接点との接圧は接触用バネにより設定し」との限定事項及び「多段組」であるとの限定事項をそれぞれ付加するとともに，「前記窓孔に通ずるすり割りを刻設し」という事項を削除して，新たな請求項１としたものである。そして，上記補正が発明特定事項の一部を削除している点に照らせば，本件補正後の請求項１は，本件補正前の請求項１の発明特定事項を限定したものではないことは明らかであるから，上記補正は，平成１８年改正前特許法第１７条の２第４項第２号に規定する「特許請求の範囲の減縮」を目的とするものに該当しない。
　　
　また，上記補正は，同項第１号に規定する請求項の削除，同項第３号に規定する誤記の訂正，及び同項第４号に規定する明りょうでない記載の釈明のいずれの目的にも該当しないことは明らかである。
　
　してみれば，本件補正は，平成１８年改正前特許法第１７条の２第４項の規定に違反するものである。
　
　また，仮に，本件補正が平成１８年改正前特許法第１７条の２第４項第２号に規定する特許請求の範囲の減縮を目的とするものに該当するとした場合であっても，以下に検討するとおり，上記本件補正後の請求項１に記載された発明（以下「本願補正発明」という。）は，特許出願の際独立して特許を受けることができるものではないから，本件補正は，同条第５項において準用する特許法第１２６条第５項の規定に違反するものである。
　　
ａ．引用刊行物とその記載事項
　
　原査定の拒絶の理由に引用された，独国特許発明第１９５０５７３７号明細書（以下「引用例１」という。）には，第１〜４図とともに次の事項が記載されている。
 　 
　なお，ドイツ語で使用されるウムラウト記号については，例えば「ａ」のウムラウトであれば「ａｅ」と代用表記し，エスツェットについては「ｓｓ」と代用表記した。また，訳は，当審の仮訳である。
　　
（ａ）「Nachfolgend ist anhand schematischer Darstellungen ein Ausfuehrungsbeispiel der erfindungsgemaessen Nokkenschalters beschrieben. Es zeigen:
 Fig.1 den Nockenschalter in einer Seitenansicht;
 Fig.2 den Nockenschalter ohne den Deckel in einer Draufsicht mit teilweise weggebrochener Nockenscheibe und Trennscheibe;
 Fig.3 in vergroessertem Massstab die Schaltnocke gemaess Fig.2 und
 Fig.4 Schaltmuster des Nockenschalters in Abhaengigkeit vom Schaltwinkel.
 Ein Nockenschalter 1 besitzt ein Schaltkammergehaeuse 2, das aus einem Gehaeusegrundkoerper 3 und einem diesen verschliessenden Deckel 5 besteht. Aus einer kreisfoermigen Oeffnung des Deckels 5 ragt senkrecht nach oben eine hohle Schaltachse 7 mit Vierkantaussenprofil zur Betaetigung des Nockenschalters 1. Aus einem Boden 8 des Gehaeusegrundkoerpers 3 ragen acht Anschlussfuesse 9, die die Strombahnen des Nockenschalters 1 bilden. Die Anschlussfuesse 9 ragen auch durch den Boden 8 in das Schaltkammergehaeuse 2.
 Der Gehaeusegrundkoerper 3 weist eine Schaltkammer 11 auf, in die eine scheibenfoermige Schaltnocke 13 aus Kunststoff, aus der sich die Schaltachse 7 senkrecht nach oben erstreckt, zentrisch eingesetzt ist. Die Schaltnocke 13 besteht aus einer kreisfoermigen Trennscheibe 15, einer an deren Oberseite ausgeformten Nockenscheibe 17 und einer an der Unterseite der Trennscheibe 15 ausgeformten Rastscheibe 19. Mit der Nockenscheibe 17 wirken, wie nachfolgend beschrieben ist, ein erster Schaltstoessel 21 und ein zweiter dazu diametral angeordneter Schaltstoessel 23 zusammen. Diese weisen dazu jeweils einen keilfoermigen Gleitkopf 25 auf, dessen Keilspitze auf der Nockenscheibe 17 aufgrund einer Federkraft aufliegt und beim Schalten gleitet. Zur Fuehrung des Schaltstoessels 21, 23 in der Schaltkammer 11 weist dieser jeweils zwei parallele, sich an den Keil anschliessende Fuehrungsflaechen 27 auf. Der erste Schaltstoessel 21 traegt eine biegsame, plattenfoermige erste Kontaktbruekke 29 aus Metall und der zweite Schaltstoessel 23 traegt eine entsprechende zweite Kontaktbruecke 31. Auf jeder dieser Kontaktbruecken 29,31 sind in deren Endabschnitten beidseitig gegenueberliegende Kontaktpunkte 33 aufgebracht. Jede Kontaktbruecke 29,31 besitzt also vier Kontaktpunkte 33. Um die erforderliche Andruckkraft fuer die Schaltstoessel 21, 23 an die Nockenscheibe 17 zu deren Betaetigung durch die Nockenscheibe bereitzustellen, sind eine erste Vorspannfeder 35 und eine zweite Vorspannfeder 37 zwischen einer Wandung der Schaltkammer 11 und einer Anlageflaeche des Gleitkopfes 25 eingespannt, wobei die Kontaktbruecke 29,31 zwischen der Anlageflaeche und einem Endabschnitt der Vorspannfeder 35,37 festgeklemmt ist. Dabei ist die Vorspannfeder 35,37 auf eine in rueckwaertiger Verlaengerung des Gleitkopfes 25 an diesen ausgeformte Stoesselstange 39 aufgesteckt und damit zusaetzlich stabilisiert. Die Stoesselstange 39 ragt, abhaengig von der Stellung des Schaltstoessels 21,23 aus einer an einer kurzen Stirnwandung des Gehaeuses 3 angebrachten Gehaeuseoeffnung 41 nach aussen. Diese dient zusammen mit einem Gehaeusedurchbruch 43 im Inneren der Schaltkammer 11 zur Fuehrung des Schaltstoessels 21,23 bei dessen Bewegungen.
 In der Schaltkammer 11 sind eine erste und eine zweite Kontaktbrueckenkammer 44,44', die sich diametral gegenueberliegen, ausgeformt. Innerhalb der Kontaktbrueckenkammer 44 sind vier Anschlussfuesse 9 angeordnet, wobei diese ein erstes Kontaktpaar 45 und ein zweites, gegenueberliegendes Kontaktpaar 45' bilden. Zwischen den beiden Kontaktpaaren 45, 45' wird die erste Kontaktbruecke 29 infolge der Drehung der Schaltnocke 13 verschoben, wobei die Kontaktbruecke mit ihren Kontaktpunkten 33 die Anschlussfuesse 9 des jeweiligen Kontaktpaares 45, 45' kurzschliessen kann. Das erste und das zweite Kontaktpaar 45, 45' bilden zusammen mit der ersten Kontaktbruecke 29 einen ersten Teilschalter 47 und das dritte und vierte Kontaktpaar 46, 46' bilden zusammen mit der zweiten Kontaktbruecke 31 einen zweiten Teilschalter 49 in der zweiten Kontaktbrueckenkammer 44'.」（第２ページ第２欄第２２行〜第３ページ第３欄第３２行）
　　
（訳）「以下に，本発明に係るカムスイッチの一実施例を概略図に基づいて説明する。
　図１　カムスイッチの側面図である。
　図２　カバーを外したカムスイッチを部分的にカムディスク及び分離ディスクを外した状態で示す上面図である。
　図３　図２に係るスイッチカムの拡大図である。
　図４　スイッチ角度に応じたカムスイッチのスイッチパターンを示す図である。
　カムスイッチ１は，スイッチチャンバケーシング２を有している。このスイッチチャンバケーシングは，ケーシングベースボディ３と，該ケーシングベースボディを閉止するカバー５とから成る。カバー５の環状の開口部からは，上方垂直に，カムスイッチ１を動作させるための矩形の外観をした中空のスイッチ軸７が突出する。ケーシングベースボディ３の底部８からは，８つの接続脚部９が突出する。これら接続脚部は，カムスイッチ１の電流経路を構成する。接続脚部９はまた，スイッチチャンバケーシング２内に底部８を通って突出する。
　ケーシングベースボディ３は，スイッチチャンバ１１を有する。このスイッチチャンバには，ディスク形状のプラスチック製のスイッチカム１３が芯出しした状態で挿入されている。このスイッチカムからは，スイッチ軸７が上方垂直に延在している。スイッチカム１３は，環状の分離ディスク１５と，その上側に形成されているカムディスク１７と，分離ディスク１５の下側に形成されている係止ディスク１９と，から成る。カムディスク１７とは，以下に記載するように，第１のスイッチラム２１と，該第１のスイッチラムに対して対角線をなすように設けられている第２のスイッチラム２３とが共働する。これらスイッチラムは，この目的のために，それぞれ楔形の摺動ヘッド２５を有している。摺動ヘッドの楔先端部は，弾性力に起因してカムディスク１７上に載置されるとともに切替時に摺動する。スイッチラム２１，２３をスイッチチャンバ１１内に案内するために，スイッチラムにはそれぞれ，楔に続く２つの平行な案内面２７がある。第１のスイッチラム２１は，可撓性の平坦な形状の金属製の第１の接触ブリッジ２９を担持している。第２のスイッチラム２３は，対応の第２の接触ブリッジ３１を担持している。これら接触ブリッジ２９，３１それぞれの端部領域には、両側に対向する接触点３３が取り付けられている。すなわち，各接触ブリッジ２９，３１は，４つの接触点３３を有している。スイッチラム２１，２３用の必要な押圧力をカムディスク１７に加えて，スイッチラムをカムディスクによって作動させるために，第１の付勢ばね３５と第２の付勢ばね３７がスイッチチャンバ１１と摺動ヘッド２５の当接面との間に張設されている。ここで，当接面と付勢ばね３５，３７の端部との間に接触ブリッジ２９，３１が緊締される。この場合，付勢ばね３５，３７は，摺動ヘッド２５の後方の延長部分においてこの摺動ヘッドから形成されているラムロッド３９上に差し込まれ，それによってさらに安定されている。ラムロッド３９は，スイッチラム２１，２３の位置に依存して，ケーシング３の短い方の端面に取り付けられているケーシング開口部４１から外方に突出する。このケーシング開口部４１は，ケーシング貫通孔４３とともに，スイッチチャンバ１１内部において，スイッチラム２１，２３が移動するときにそれらを案内するのに用いられる。
　スイッチチャンバ１１内には，対角線上で互いに対向している第１および第２の接触ブリッジチャンバ４４，４４’が形成されている。接触ブリッジチャンバ４４内部には，４つの接続脚部９が設けられている。ここで，これら接続脚部は第１の接触対４５と対向する第２の接触対４５’とを形成する。両接触対４５，４５’間では，第１の接触ブリッジ２９がスイッチカム１３の回転によって移動される。ここで，接触ブリッジは，接触点３３によって，各接触対４５，４５’の接続脚部９を短絡させ得る。第１及び第２の接触対４５，４５’は，第１の接触ブリッジ２９とともに，第１の部分スイッチ４７を形成し，第３及び第４の接触対４６，４６’は，第２の接触ブリッジ３１とともに，第２の部分スイッチ４９を第２の接触ブリッジチャンバ４４’内に形成する。」
　　
（ｂ）「1. Nockenschalter mit einem Schaltkammergehaeuse, das mit mindestens vier Strombahnen bestueckt ist, die zwei Kontaktpaare bilden, wobei in dem Gehaeuse mindestens ein Schaltstoessel mit jeweils einer Kontaktbruecke mittels einer auf einer Schaltnocke angeordneten Nockenscheibe gegen die Wirkung von Vorspannfedern betaetigbar ist, und wobei mindestens eine Kontaktbruecke zwichen zwei gegenueberliegenden Kontaktpaaren angeordnet ist, dadurch gekennzeichnet, dass die Nockenscheibe (17) derart ausgeformt ist, dass die Kontaktbruecke (29,31) auch in eine Mittelstellung zwischen die zwei gegenueberliegenden Kontaktpaare (45,45',46,46') stellbar ist.」（第４ページ第５欄第３〜１６行）
　　
（訳）「１．２つの接触対を形成する少なくとも４つの電流経路を有するスイッチチャンバケーシングを有するカムスイッチであって，前記ケーシング内には，それぞれ１つの接触ブリッジを備える少なくとも１つのスイッチラムが，スイッチカムに設けられているカムディスクによって，付勢バネの作用に抗って作動可能となっており，また，少なくとも１つの接触ブリッジが互いに対向する２つの接触対間に設けられているカムスイッチにおいて，
　カムディスク（１７）は，接触ブリッジ（２９、３１）が２つの互いに対向する接触対（４５，４５，４６，４６’）間に位置決め可能になるように構成されていることを特徴とするカムスイッチ。」
　　
　引用例１に記載のものにおいて，第１及び第２の接触ブリッジ２９，３１は，可撓性の平坦な形状の金属製のものであることからみて，接触点３３を第１の接触対４５及び第４の接触対４６’に向けて付勢するものであることは明らかであり，また，技術常識に照らせば，第１及び第２の付勢ばね３５，３７は，カムディスク１７の操作力に関係するものであって，第１及び第２の付勢ばね３５，３７のばね力ないしは操作力を設定することにより，カムディスク１７の操作力を調整することができることは明らかである。
　
　したがって，上記記載事項ａ．〜ｂ．及び第１〜４図の記載を総合すると，引用例１には，
　　
「外周にカム溝を刻設したプラスチック製のカムディスク１７をスイッチチャンバ１１内に収容しカムディスク１７に一本のスイッチ軸７を固着して回転自在に設け，カムディスク１７の外周に接触点３３を有する可撓性の第１及び第２の接触ブリッジ２９，３１を支持する第１及び第２のスイッチラム２１，２３を第１及び第２の付勢ばね３５，３７で付勢して対向して当接させ，第１の接触対４５及び第４の接触対４６’を前記接触点３３より外側に位置させ接触点３３に対向させてスイッチチャンバ１１に取付け，接触点３３は第１及び第２のスイッチラム２１，２３に支持された第１及び第２の接触ブリッジ２９，３１により第１の接触対４５及び第４の接触対４６’に向けて付勢し，さらに，カムディスク１７の操作力に関係する第１及び第２の付勢ばね３５，３７の操作力を設定できるようにしてなるカムスイッチ。」
　　
の発明（以下「引用発明」という。）が記載されていると認められる。 
　　
　同じく，原査定の拒絶の理由に引用された，特開昭５９−９６６１４号公報（以下「引用例２」という。）には，「スイッチの端子装置」に関し，第１〜３図とともに次の事項が記載されている。
　
（ｃ）「スイッチの押圧部を構成する支持体に可動接触子を保持させてスイッチ本体に可動的に支持させるとともに，スイッチ本体の前記可動接触子の対向部位に固定接触子を固着し，該固定接触子の一部に形成した略中央部にねじ孔を施した端子板と，該端子板に圧縮ばねを介して上下可動的に支持させてなる可動部材と該可動部材の首部に前記ねじ孔に対応させ，且つ抜け止めを施し回動可能に取り付けた端子ねじとからなり，前記端子板と可動部材の首部との間に電線を挟着させ端子ねじにて締め付けるようにしたことを特徴とするスイッチの端子装置。」（第１ページ左欄第４〜１５行）
　 
（ｄ）「１は押ボタンスイッチ本体，２は支持体で可動接触子３を窓孔３ａ内に押圧用ばね４にて可動的に支持している。ａ，ａは前記可動接触子３の両側部に取り付けられた可動接点，５は前記支持体２をスイッチ本体１に上下可動的に保持する保持ばね。６は固定接触子で一端に固定接点ｂを取り付けるとともに他端に端子板６１を導出させてなり，スイッチ本体１の下側部対称位置において固定接触子６，６の各固定接点ｂ，ｂが前記可動接点ａ，ａと対向するように固着される。」（第１ページ右欄第１４行〜第２ページ左上欄第３行）
　
ｂ．対比
　　
　本願補正発明と引用発明とを対比すると，引用発明の「プラスチック製のカムディスク１７」，「スイッチチャンバ１１」，「スイッチ軸７」，「接触点３３」，「第１及び第２のスイッチラム２１，２３」，「第１及び第２の付勢ばね３５，３７」，「第１の接触対４５及び第４の接触対４６’」は，それぞれ本願補正発明の「絶縁性の回転カム」，「筐体」，「シャフト」，「可動接点」，「可動棒」，「復帰バネ」，「固定接点」に相当する。
　
　また，引用発明の「第１及び第２の接触ブリッジ２９，３１」は，「付勢手段」である限りにおいて，本願補正発明の「可動棒内に内蔵された接触用バネ」と共通する。
　　
　そうすると，本願補正発明と引用発明とは，
　　
「外周にカム溝を刻設した絶縁性の回転カムを筐体内に収容し回転カムに一本のシャフトを固着して回転自在に設け，回転カムの外周に可動接点を有する可動棒を復帰バネで付勢して対向して当接させ，固定接点を前記可動接点より外側に位置させ可動接点に対向させて筐体に取付け，可動接点は付勢手段により固定接点に向けて付勢し，さらに，回転カムの操作力に関係する復帰バネの操作力を設定できるようにしてなるカムスイッチ。」
　
 である点で一致し、以下の点で相違する。
　　
［相違点１］
　本願補正発明は，可動接点を固定接点に向けて付勢する付勢手段が「可動棒内に内蔵された接触用バネ」であって，固定接点と可動接点との接圧は接触用バネにより設定し，可動棒に接触用バネ収納用の窓孔を開口させるものであり，回転カムの操作力に関係する復帰バネの操作力を「別個に」設定できるのに対して，
　引用発明は，接触点３３を第１の接触対４５及び第４の接触対４６’に向けて付勢する付勢手段が第１及び第２のスイッチラム２１，２３に支持された第１及び第２の接触ブリッジ２９，３１であり，第１の接触対４５及び第４の接触対４６’と接触点３３との接圧の設定については明らかではなく，第１及び第２のスイッチラム２１，２３には，当該付勢手段を収納する窓孔はなく，カムディスク１７の操作力に関係する第１及び第２の付勢ばね３５，３７の操作力を上記接圧と「別個に」設定できるのか明らかではない点。
　　
［相違点２］
　本願補正発明は，回転カムにシャフトを「内嵌め」固着して回転自在に設けているのに対して，引用発明は，カムディスク１７にスイッチ軸７を固着して回転自在に設けているものの，「内嵌め」固着しているのか明らかではない点。
　　
［相違点３］
　本願補正発明のカムスイッチは「多段組」であるのに対して，引用発明のカムスイッチは「多段組」であるのかが明らかではない点。
 　 　　
ｃ．相違点についての判断
　　
　次に，上記相違点について以下に検討する。
　
［相違点１］について
　引用例２には，スイッチの端子装置において，スイッチの押圧部を構成する支持体２を保持ばね５で付勢するとともに，可動接点ａは可動接触子３を介して支持体２内に内蔵された押圧用ばね４により固定接触子６の固定接点ｂに向けて付勢し，支持体２に押圧用ばね４収納用の窓孔３ａを開口させた点が記載されている（上記記載事項（ｃ）及び（ｄ）参照）。
　そして，引用例２のスイッチの端子装置は，外部の操作力によって可動接点ａと固定接点ｂとの開閉動作を行うものである点に照らして，カムスイッチと同様の機能を果たすことは明らかである。また，引用例２の「支持体２」は，外部の操作力を受けて可動接点を固定接点に当接させる点で引用発明の「第１及び第２のスイッチラム２１，２３」と，引用例２の「保持ばね５」は，支持体２（第１及び第２のスイッチラム２１，２３）を復帰方向へ付勢する点で引用発明の「第１及び第２の付勢ばね３５，３７」と，引用例２の「押圧用ばね４」は，可動接点を固定接点に向けて付勢する点で引用発明の「第１及び第２の接触ブリッジ２９，３１」と，それぞれ機能を共通にするものであるから，引用例２の上記記載事項を引用発明に適用することに格別の困難性はないというべきである。
　してみれば，引用発明において，引用例２の上記記載事項に照らして，接触点３３を第１の接触対４５及び第４の接触対４６’に向けて付勢する付勢手段について，第１及び第２の接触ブリッジ２９，３１に代えて，第１及び第２のスイッチラム２１，２３に内蔵された押圧用ばねを採用するとともに，第１及び第２のスイッチラム２１，２３に当該押圧用ばねを収納する窓孔を開口するように構成することは，当業者ならば容易に想到し得たことである。
　また，この場合において，可動接点たる接触点３３と固定接点たる第１の接触対４５及び第４の接触対４６’との接圧については，例えば，実公平６−４３９６０号公報又は特開平４−８２１１７号公報に記載された周知技術に照らして，当該押圧用ばねにより設定することも，当業者が容易に想到し得たことである。
　さらに，このように，当該押圧用ばねにより接圧を設定するように構成することによって，カムディスク１７の操作力に関係する第１及び第２の付勢ばね３５，３７の操作力を上記押圧用ばねによる接圧と「別個に」設定できるように構成することができることは，明らかである。
　したがって，上記相違点１に係る本願補正発明の構成に格別の困難性はない。
　
［相違点２］について
　回転カムとシャフトとの固着方法としての「内嵌め固着」は慣用手段に過ぎないから，引用発明において，カムディスク１７にスイッチ軸７を固着するにあたり，慣用手段である「内嵌め固着」を選択することは，当業者が容易に想到し得たことである。したがって，上記相違点２に係る本願補正発明の構成に格別の困難性はない。
　
［相違点３］について
　一般的に，多段組カムスイッチは，従来周知の技術である（例えば，実公平６−２４１０７号公報，実公平６−３５３２４号公報参照。）から，引用発明において，上記周知技術に照らして，カムスイッチを多段組のものとすることは，当業者が容易に想到し得たことであり，上記相違点３に係る本願補正発明の構成に格別の困難性はない。
　
　そして，本願補正発明の奏する効果について検討しても，引用発明，引用例２の記載事項及び上記周知技術から予測可能なものであり，格別なものとはいえない。
　　
　したがって，本願補正発明は，引用発明，引用例２の記載事項及び上記周知技術に基づいて，当業者が容易に発明することができたものであるから，特許法第２９条第２項の規定により特許出願の際独立して特許を受けることができないものである。
　
（３）むすび 
　以上のとおり，本件補正は，平成１８年改正前特許法第１７条の２第４項の規定又は同条第５項において準用する特許法第１２６条第５項の規定に違反するものであり，同法第１５９条第１項の規定で読み替えて準用する同法第５３条第１項の規定により却下を免れない。
　
３．本願発明について
　
（１）本願発明
　本件補正は上記２．のとおり却下されたので，本願の請求項１に係る発明（以下「本願発明」という。）は，平成１８年５月１０日付け手続補正書により補正された明細書の特許請求の範囲の請求項１に記載された事項により特定される，次のとおりのものと認められる。
　　
　「【請求項１】　外周にカム溝を刻設した絶縁性の回転カムを筐体内に収容し回転カムに一本のシャフトを内嵌め固着して回転自在に設け、回転カムの外周に可動接点を有する可動棒を復帰バネで付勢して対向して当接させ、固定接点を前記可動接点より外側に位置させ可動接点に対向させて筐体に取付け、可動接点は可動棒内に内蔵された接触用バネにより固定接点に向けて付勢し、可動棒に接触用バネ収納用の窓孔を開口させ、さらに、前記窓孔に通ずるすり割りを刻設し、回転カムの操作力に関係する復帰バネの操作力を別個に設定できるようにしてなるカムスイッチ。」
　　
（２）引用刊行物とその記載事項
　
　原査定の拒絶の理由に引用した刊行物である引用例１，２及びその記載事項は，上記２．（２）ａ．に記載したとおりである。
　
　また，同じく，原査定の拒絶の理由に引用した刊行物である，特開平５−１７４６６８号公報（以下「引用例３」という。）には，「押しボタンスイッチ」に関し，図１〜６とともに次の事項が記載されている。
　
（ｅ）「【請求項１】一対の固定接点を備えたケースと、このケース内に復帰位置と作動位置との間で軸方向に摺動自在に設けられる操作軸と、この操作軸上に制限された範囲内で軸方向移動自在に設けられて前記固定接点と接触し又は離れる橋絡片と、この橋絡片の前記固定接点に対する接圧を付勢するべく操作軸に設けられた接圧用バネとを備えた押しボタンスイッチにおいて、
前記橋絡片と接圧用バネとが、接圧用バネの一端と当接するベース部と、接圧用バネの他端と当接することによってベース部から離れようとする橋絡片の移動を拘束するアーム部とを備えたホルダーによって一体のユニットとして結合されており、このユニットは前記操作軸に形成された貫通空所に嵌入されて位置している押しボタンスイッチ。」（第２ページ第１欄第２〜１５行）
　
（ｆ）「【００２０】橋絡片ユニット４を組み立てるには、図２に示すように配置し、ホルダー１２と橋絡片１４とで接圧用バネ１３を挟みつければよい。それによりホルダー１２のアーム部１９の爪２７のテーパ面２８に橋絡片１４が当接し、爪２７の長さ寸法だけアーム１９が外側（矢印Ｓ）に撓む。
【００２１】橋絡片１４が爪２７を乗り越えると、アーム部１９が再び直立し、その爪２７が橋絡片１４の裏面と係合する。そのためホルダー１２と橋絡片１４とは接圧用バネ１３に初期撓みを与えた状態で一体に結合され、図１に示すようなユニット４がえられる。」（第３ページ第４欄第２１〜３１行）
　
（３）対比・判断
　
　本願発明は，上記２．で検討した本願補正発明から「カムスイッチ」について，「固定接点と可動接点との接圧は接触用バネにより設定し」及び「多段組」であるとの限定を省くとともに，「前記窓孔に通ずるすり割りを刻設し」という事項を追加したものである。
　
　そうすると，本願発明と引用発明とは，上記相違点１のうち「固定接点と可動接点との接圧は接触用バネにより設定し」の事項を除いた部分及び上記相違点２のほか，次の点で相違し，その余の点で一致する。
　　
［相違点４］
　本願発明は，可動棒に窓孔に通ずるすり割りを刻設しているのに対して，引用発明は，それに相当する構成を有しない点。
　　
　そして，上記相違点１のうち「固定接点と可動接点との接圧は接触用バネにより設定し」の事項を除いた部分及び上記相違点２に係る本願発明の構成は，上記２．（２）ｃ．で検討した理由と同様の理由により，引用発明，引用例２の記載事項及び上記周知技術に基づいて当業者が容易に想到し得たものである。
　
　また，上記相違点４については，引用例３には，接圧用バネ１３及び固定接点と接触し又は離れる橋絡片１４がホルダー１２によって一体のユニットとして結合されたものが記載（上記記載事項（ｅ），（ｆ）参照）されており，ホルダー１２のうち，複数のアーム部１９先端の間に位置する，橋絡片１４を装着するための開口部分（図２参照）が接圧用バネ１３及び橋絡片１４をホルダー１２に装着を容易にするための手段を構成することは明らかである。そして，引用発明において，上記相違点１で検討したとおり，第１及び第２のスイッチラム２１，２３に押圧用ばねを収納する窓孔を開口するにあたり，引用例３の上記記載事項に照らして，当該押圧用ばね（ないしは接圧用バネ１３）などの装着を容易にするために，当該窓孔に開口部分を形成することは，当業者ならば容易に想到し得たことである。そして，かかる開口部分を「すり割り」とすることに格別の困難性はない。
　してみれば，上記相違点４の本願発明に係る構成は，引用発明，引用例２及び３の記載事項並びに上記周知技術に基づいて当業者が容易に想到し得たことである。
　
　そして，本願発明の奏する効果について検討しても，引用発明，引用例２及び３の記載事項並びに上記周知技術から予測可能なものであり，格別なものとはいえない。
　　
　したがって，本願発明は，引用発明，引用例２及び３の記載事項並びに上記周知技術に基づいて，当業者が容易に発明することができたものである。
　
（４）むすび 
　
　以上のとおり，本願発明は，特許法第２９条第２項の規定により特許を受けることができないものであるから，本願は，拒絶されるべきである。
　 
　よって，結論のとおり審決する。